(57)【要約】【課題】  マニュアルデータの視認に関して利便性の高い撮像装置を提供する。【解決手段】  自身が有する表示部１３の他、プリンタで印刷、ＴＶ装置及び情報処理装置で閲覧可能な、操作部１２の操作手順を記したマニュアルデータを記憶するメモリ５と、メモリ５を制御する制御手段９を備えた。【選択図】  図１
2006340231.tif 000002
【特許請求の範囲】
【請求項１】
操作部と表示部とを有する撮像装置において、外部装置により閲覧可能な前記操作部の操作手順を記したマニュアルデータを記憶するメモリと、該メモリを制御する制御手段とを備えたことを特徴とする撮像装置。
【請求項２】
請求項１に記載の撮像装置において、前記外部装置に前記マニュアルデータを送出する外部インターフェースを備え、前記制御手段は、前記操作部の操作により、前記マニュアルデータを、前記外部インターフェースを通じて送信する制御を行うことを特徴とする撮像装置。
【請求項３】
請求項２に記載の撮像装置において、前記制御手段は、前記操作部の操作により、前記マニュアルデータ内の操作状態の説明に適する頁のデータを、前記外部インターフェースを通じて送信する制御を行うことを特徴とする撮像装置。
【請求項４】
請求項１に記載の撮像装置において、前記外部装置に前記マニュアルデータを送出する出力端子を備え、前記制御手段は、前記操作部の操作により、前記マニュアルデータを、前記出力端子を通じて送信する制御を行うことを特徴とする撮像装置。
【請求項５】
請求項４に記載の撮像装置において、前記制御手段は、前記操作部の操作により、前記マニュアルデータ内の操作状態の説明に適する頁データを、前記出力端子を通じて送信する制御を行うことを特徴とする撮像装置。
【請求項６】
請求項１に記載の撮像装置において、前記外部装置に前記マニュアルデータを送出する外部インターフェースを備え、前記制御手段は、操作部の操作により、前記マニュアルデータを、前記外部インターフェースを通じて送信する制御を行うことを特徴とする撮像装置。
【請求項７】
請求項６に記載の撮像装置において、前記制御手段は、前記操作部の操作により、前記マニュアルデータ内の操作状態の説明に適する頁データを、前記外部インターフェースを通じて送信する制御を行うことを特徴とする撮像装置。
【発明の詳細な説明】
【技術分野】
【０００１】
本発明はデジタルカメラに代表される撮像装置に関する。
【背景技術】
【０００２】
近年、デジタルカメラの市場規模が拡大し、デジタルカメラを保有する使用者が増加している。市場規模が拡大するに伴い、デジタルカメラのような電子機器の取り扱いに不慣れな使用者がデジタルカメラを保有する割合も増加している。銀塩カメラと比較し、デジタルカメラは機能が複雑化しており、操作説明書（マニュアル）に対する重要性がより高まっている。
しかし、マニュアルをデジタルカメラと共に常に携帯しているとは限らない。また、紙のマニュアルを紛失するケースもある。マニュアルを持ち歩いていない、紛失した等の状況であっても、マニュアルが閲覧可能となれば操作や仕様に関する問い合わせ件数の低減を図ることが可能となる。
このような背景の基に例えば、特許文献１には、ユーザがマニュアル等を参考にしなくとも簡単に操作が行えるデジタルカメラを提供することを目的として以下の技術が開示されている。
操作部のヘルプキーを押すと、例えば分割撮影時に押された場合は、チェックボックスの使い方の項目に関するマニュアルデータにおける該当部がＬＣＤ表示部に表示される。また、例えば、日時設定時に押されると、スピンボックスの使い方の説明文がＬＣＤ表示部に表示される。そして、キャンセルキーを押すか、５秒以上操作が無ければ、ヘルプモードを抜ける。
【特許文献１】特開２００４−１２８８２０公報
【発明の開示】
【発明が解決しようとする課題】
【０００３】
しかし、デジタルカメラの表示装置（ＬＣＤ表示部）は画面サイズが２インチ程度の小型モニタであり、文字を閲覧するには画面が小さく好適ではない。
本発明は、マニュアルデータの視認に関して利便性の高い撮像装置を提供することを目的とする。
【課題を解決するための手段】
【０００４】
上記目的を達成するために、請求項１記載の発明は、操作部と表示部とを有する撮像装置において、外部装置により閲覧可能な前記操作部の操作手順を記したマニュアルデータを記憶するメモリと、該メモリを制御する制御手段とを備えたことを特徴とする。
請求項２記載の発明は、請求項１に記載の撮像装置において、前記外部装置に前記マニュアルデータを送出する外部インターフェースを備え、前記制御手段は、前記操作部の操作により、前記マニュアルデータを、前記外部インターフェースを通じて送信する制御を行うことを特徴とする。
請求項３記載の発明は、請求項２に記載の撮像装置において、前記制御手段は、前記操作部の操作により、前記マニュアルデータ内の操作状態の説明に適する頁のデータを、前記外部インターフェースを通じて送信する制御を行うことを特徴とする。
請求項４記載の発明は、請求項１に記載の撮像装置において、前記外部装置に前記マニュアルデータを送出する出力端子を備え、前記制御手段は、前記操作部の操作により、前記マニュアルデータを、前記出力端子を通じて送信する制御を行うことを特徴とする。
請求項５記載の発明は、請求項４に記載の撮像装置において、前記制御手段は、前記操作部の操作により、前記マニュアルデータ内の操作状態の説明に適する頁データを、前記出力端子を通じて送信する制御を行うことを特徴とする。
請求項６記載の発明は、請求項１に記載の撮像装置において、前記外部装置に前記マニュアルデータを送出する外部インターフェースを備え、前記制御手段は、操作部の操作により、前記マニュアルデータを、前記外部インターフェースを通じて送信する制御を行うことを特徴とする。
請求項７記載の発明は、請求項６に記載の撮像装置において、前記制御手段は、前記操作部の操作により、前記マニュアルデータ内の操作状態の説明に適する頁データを、前記外部インターフェースを通じて送信する制御を行うことを特徴とする。
【発明の効果】
【０００５】
本発明のように、マニュアルデータを外部装置であるプリンタで印刷、テレビで閲覧、情報処理装置（ＰＣ）で閲覧可能であれば文字の視認性も良いものとなる。
【発明を実施するための最良の形態】
【０００６】
以下、本発明の実施の形態を図面に従って説明する。
図１は本発明の実施の形態に係るデジタルカメラの構成図である。その構成を動作と併せて説明する。
被写体画像がＣＣＤ１に入力され、電気信号に変換される。撮像素子出力信号は、ＣＤＳ（相関２重サンプリング）回路２を通してＡ／Ｄ変換回路３で最適なサンプリング周波数（例えばＮＴＳＣ信号のサブキャリア周波数の整数倍）にてデジタル信号に変換される。
デジタル信号に変換されたＣＤＳ出力信号は、デジタル信号処理回路４にてガンマ補正、色分離等の通常カメラ信号処理がなされ、Ｙ（輝度）、Ｃｂ、Ｃｒ（色差）信号が作成される。この信号はデジタル信号処理回路４で符号化される。符号化された画像データをメモリ５に記憶する。
メモリ５はデジタルカメラ本体に内蔵する形態、着脱可能な形態の何れも取り得る。また前述のカメラ信号処理されたビデオ信号を基にデジタル信号処理回路４からＮＴＳＣ信号を出力し、ＶＡＭＰ６を経由し、コネクターの出力端子７を通じ外部装置であるＴＶ装置（テレビジョン受信装置）に出力する。
ＲＯＭ８にはカメラを制御するプログラムが格納される。ＣＰＵ９はＲＯＭ８に格納されるプログラムに基づいてカメラ内部の全動作を制御する。例えば駆動装置１０を介してＣＣＤ１、ＣＤＳ回路２、Ａ／Ｄ変換回路３を制御する。ＲＡＭ１１はＣＰＵ９のワークエリアである。
操作部１２は複数個のボタンで構成され、画像データの撮影や、撮影した画像データの再生操作は、操作部１２を通じて操作可能である。表示部１３には、撮影した画像データや文字情報等を表示することが可能である。
デジタルカメラの電源は、バッテリ１４からＤＣ−ＤＣコンバータ１５に入力され、デジタルカメラ内部の各部に供給される。外部Ｉ／Ｆ１６は、メモリ５に記憶された画像データを外部Ｉ／Ｆ１６に接続される外部装置に対して送信する。外部Ｉ／Ｆ１６にはＵＳＢを採用し、ＵＳＢケーブルが接続可能である。
【０００７】
［実施例１］
＜実施例１―１＞
メモリ５には、デジタルカメラの操作説明データ（マニュアル）がＪＰＥＧ等の画像形式データとして保存可能である。ＪＰＥＧ等の画像形式データは、例えば外部装置である情報処理装置（ＰＣ）上でも閲覧可能であり、同じく外部装置であるプリンタで印刷も可能である。画像形式データであるため、撮影した画像データ同様、デジタルカメラ本体でも表示部１３に再生可能である。
マニュアルデータが単数ページ（１ページのみ）の場合は、画像データファイルは１枚であり、複数ページで構成される場合は、ページ毎に画像データファイルが存在する。図２が、単数ページで構成された画像形式のマニュアルデータの例であり、図３が複数ページで構成された画像形式のマニュアルデータの例である。
＜実施例１−２＞
メモリ５には、デジタルカメラの操作説明データ（マニュアル）がＰＤＦ（Portable Document Format）の電子文書フォーマット形式データとして保存可能である。電子文書フォーマット形式データは、ＰＣ（外部装置）上でも閲覧可能であり、プリンタ（外部装置）で印刷も可能である。デジタルカメラ本体は、ＰＤＦ形式のデータファイルを表示部１３に再生可能である。
ＰＤＦ形式ファイルは、複数ページの構成が可能な形式であるため、ＰＤＦ形式のマニュアルデータは、単数ページ・複数ページの構成を問わず、１ファイルで構成される。図４が電子文書形式のマニュアルデータの例である。
＜実施例１−３＞
メモリ５には、デジタルカメラの操作説明データ（マニュアル）がＨＴＭＬ（HyperText Markup Language）のマークアップ言語形式データとして保存可能である。ＨＴＭＬ形式データは、ＰＣ上でも閲覧可能であり、プリンタで印刷も可能である。デジタルカメラ本体は、ＨＴＭＬ形式のデータファイルを表示部１３に再生可能である。
ＨＴＭＬ形式のマニュアルデータは、画像形式データのマニュアルデータ同様、１ページ毎に１ファイルで構成される。文字データはＡＳＣＩＩコードやＳＪＩＳコード等の文字コートで構成され、図柄データはＧＩＦやＴＩＦＦ等の画像形式データで構成される。図５が単数ページで構成されたＨＴＭＬ形式のマニュアルデータの例であり、図６が複数ページで構成されたＨＴＭＬ形式のマニュアルデータの例である。
【０００８】
［実施例２］
デジタルカメラとプリンタを直接接続して印刷するための通信規格として、ＰｉｃｔＢｒｉｄｇｅ（ピクトブリッジ）と呼ばれる規格がある。従来、デジタルカメラで撮影した画像をプリンタで印刷するには一旦パソコンに保存しなければならなかったが、ＰｉｃｔＢｒｉｄｇｅ対応の機器同士はＵＳＢケーブルで接続して直接印刷を行うことができる。
デジタルカメラの操作部１２にて、印刷設定（用紙サイズなど）を指定することができる。また、指定した画像を印刷するだけでなく、縮小した画像の一覧を印刷するインデックスプリント機能や、同一画像の複数枚プリント、日付入りプリントなどの機能を利用することもできる。
ＰｉｃｔＢｒｉｄｇｅは、アプリケーションレベルのインターフェースを規格化したもので、物理インターフェースなどのハードウェアに依存しない拡張性を持ち、インターフェースにはＵＳＢを、データ転送にはＰＴＰ（Picture Transfer Protocol）を利用している。ＰｉｃｔＢｒｉｄｇｅ規格としての動作、及びＰＴＰはＣＰＵ９によって制御される。
図７は第１の制御例を示すフローチャートである。
デジタルカメラの操作部１２にはマニュアルデータの印刷を目的とした操作ボタンが設置され、操作ボタンを押すことで（Ｓ１）、メモリ５から実施例１の画像形式データのマニュアルデータ、ＰＤＦ形式のマニュアルデータ、ＨＴＭＬ形式のマニュアルデータを読み出し（Ｓ２）、マニュアルデータを、外部Ｉ／Ｆ１６を通じてプリンタに送出し（Ｓ３）、プリンタにてマニュアルデータを印刷する（Ｓ４）。
【０００９】
［実施例３］
前述のとおり操作部１２は複数個のボタンで構成され、このボタンを通じて画像データの撮影や、撮影した画像データの再生が可能である。デジタルカメラの操作部１２には実施例１の画像形式データのマニュアルデータ、ＰＤＦ形式のマニュアルデータ、ＨＴＭＬ形式のマニュアルデータの印刷を目的とした操作ボタンも設置されている。
図８は第２の制御例を示すフローチャートである。印刷を目的として操作ボタンを押すことで（Ｓ１）、その操作場面によってどの操作ボタンを操作すべきなのかが記載されたマニュアルデータ内の該当ページデータをメモリ５から読み出し（Ｓ２）、外部Ｉ／Ｆ１６を通じてプリンタに送出し（Ｓ３）、プリンタにてマニュアルデータを印刷する（Ｓ４）。
［実施例４］
図９は第３の制御例を示すフローチャートである。デジタルカメラの操作部１２にはマニュアルデータをＴＶ装置で閲覧することを目的とした操作ボタンが設置され、その操作ボタンを押すことで（Ｓ１）、メモリ５から実施例１の画像形式データのマニュアルデータ、ＰＤＦ形式のマニュアルデータ、ＨＴＭＬ形式のマニュアルデータを読み出し（Ｓ２）、ビデオ信号をデジタル信号処理回路からＮＴＳＣ信号として出力し（Ｓ３）、ＶＡＭＰ６を経由し、コネクターの出力端子７を通じ外部装置（ＴＶ装置）に出力する。
［実施例５］
前述のとおり操作部１２は複数個のボタンで構成され、このボタンを通じて画像データの撮影や、撮影した画像データの再生が可能である。またデジタルカメラの操作部１２には、実施例１の画像形式データのマニュアルデータ、ＰＤＦ形式のマニュアルデータ、ＨＴＭＬ形式のマニュアルデータをＴＶ装置で表示することを目的とした操作ボタンも設置されている。
図１０は第４の制御例を示すフローチャートである。ＴＶ装置で表示することを目的とした操作ボタンを押すことで（Ｓ１）、その操作場面によって、どの操作ボタンを操作すべきなのかが記載されたマニュアルデータ内の該当ページデータをメモリ５から読み出し（Ｓ２）、ビデオ信号をデジタル信号処理回路４からＮＴＳＣ信号として出力し（Ｓ３）、ＶＡＭＰ６を経由し、コネクターの出力端子７を通じ外部装置（ＴＶ装置）に出力する。
【００１０】
［実施例６］
図１１は第５の制御例を示すフローチャートである。デジタルカメラの操作部１２にはマニュアルデータを情報処理装置（ＰＣ）で閲覧することを目的とした操作ボタンが設置され、この操作ボタンを押すことで（Ｓ１）、メモリ５から実施例１の画像形式データのマニュアルデータ、ＰＤＦ形式のマニュアルデータ、ＨＴＭＬ形式のマニュアルデータを読み出し（Ｓ２）、マニュアルデータを、外部Ｉ／Ｆ１６を通じてＰＣに送出し（Ｓ３）、ＰＣ上の閲覧ソフトウェア（Internet Explorer等のブラウザソフトウェア）にてマニュアルデータをＰＣ上で閲覧する（Ｓ４）。
［実施例７］
前述のとおり操作部１２は複数個のボタンで構成され、このボタンを通じて画像データの撮影や、撮影した画像データの再生が可能である。また、デジタルカメラの操作部１２には、実施例１の画像形式データのマニュアルデータ、ＰＤＦ形式のマニュアルデータ、ＨＴＭＬ形式のマニュアルデータを情報処理装置（ＰＣ）で閲覧することを目的とした操作ボタンも設置されている。
図１２は第６の制御例を示すフローチャートである。情報処理装置（ＰＣ）で閲覧することを目的とした操作ボタンを押すことで（Ｓ１）、その操作場面によって、どの操作ボタンを操作すべきなのかが記載されたマニュアルデータ内の該当ページデータをメモリ５から読み出し（Ｓ２）、外部Ｉ／Ｆ１６を通じてＰＣに送出し（Ｓ３）、ＰＣ上の閲覧ソフトウェア（Internet Explorer等のブラウザソフトウェア）にてマニュアルデータをＰＣ上で閲覧する（Ｓ４）。
【図面の簡単な説明】
【００１１】
【図１】本発明の実施の形態に係るデジタルカメラの構成図である。
【図２】マニュアルデータの一例を示す図である。
【図３】マニュアルデータの一例を示す図である。
【図４】マニュアルデータの一例を示す図である。
【図５】マニュアルデータの一例を示す図である。
【図６】マニュアルデータの一例を示す図である。
【図７】第１の制御例を示すフローチャートである。
【図８】第２の制御例を示すフローチャートである。
【図９】第３の制御例を示すフローチャートである。
【図１０】第４の制御例を示すフローチャートである。
【図１１】第５の制御例を示すフローチャートである。
【図１２】第６の制御例を示すフローチャートである。
【符号の説明】
【００１２】
５  メモリ
７  出力端子
９  ＣＰＵ（制御手段）
１２  操作部
１３  表示部
１６  外部Ｉ／Ｆ（外部インターフェース）
【図１】
2006340231.tif 000003
【図２】
2006340231.tif 000004
【図３】
2006340231.tif 000005
【図４】
2006340231.tif 000006
【図５】
2006340231.tif 000007
【図６】
2006340231.tif 000008
【図７】
2006340231.tif 000009
【図８】
2006340231.tif 000010
【図９】
2006340231.tif 000011
【図１０】
2006340231.tif 000012
【図１１】
2006340231.tif 000013
【図１２】
2006340231.tif 000014